(57)【要約】【課題】  建造物の周辺に設置スペースを確保することなく、建造物の全体を均一に、かつ所望の色彩や明度で照らすことが可能なＬＥＤ照明装置およびこれを備えた建造物を提供すること。【解決手段】  ビル１２を照らすＬＥＤ照明装置１１であって、ＬＥＤチップを備える複数の第１のＬＥＤ光源を各々が有しており、かつ長手方向がｘ方向に沿う細長状の複数のＬＥＤ照明ユニット２と、ＬＥＤチップを備える複数の第２のＬＥＤ光源を各々が有しており、かつ長手方向がｚ方向に沿う細長状の複数のＬＥＤ照明ユニット３と、ｙ方向において、複数のＬＥＤ照明ユニット２，３に対して、屋内側に配置されており、かつＬＥＤ照明ユニット２，３からの光を屋外側に反射しうるブラインド１２６と、を備える。【選択図】  図３
2012150973.tif 000002
【特許請求の範囲】
【請求項１】
建造物を照らすＬＥＤ照明装置であって、
ＬＥＤチップを備える複数の第１のＬＥＤ光源を各々が有しており、かつ長手方向が第１の方向に沿う細長状の複数の第１のＬＥＤ照明ユニットと、
ＬＥＤチップを備える複数の第２のＬＥＤ光源を各々が有しており、かつ長手方向が上記第１の方向に対して交差する第２の方向に沿う細長状の複数の第２のＬＥＤ照明ユニットと、
上記第１および第２の方向のいずれに対しても直角である第３の方向において、上記複数の第１および第２のＬＥＤ照明ユニットに対して、背面側に配置されており、かつ上記第１および第２のＬＥＤ照明ユニットからの光を上記第３の方向における前面側に反射しうる反射部材と、を備えることを特徴とする、ＬＥＤ照明装置。
【請求項２】
上記第１のＬＥＤ照明ユニットは、上記第１の方向に並べられた上記複数の第１のＬＥＤ光源が搭載されており、かつ上記第１の方向を長手方向とする長矩形状の基板と、上記基板を支持し、かつ上記第１の方向を長手方向する細長状の支持部材と、上記複数の第１のＬＥＤ光源からの光を透過し、かつ上記第１の方向を長手方向する細長状の透光カバーとを備える１以上の第１のＬＥＤ照明モジュールを有する、請求項１に記載のＬＥＤ照明装置。
【請求項３】
上記支持部材は、上記第１の方向に直角である平面における断面形状が、上記基板が取り付けられた底部、およびこの底部両端から上記基板とは反対側に延びる１対の平行部を有するコの字状である、請求項２に記載のＬＥＤ照明装置。
【請求項４】
上記第１のＬＥＤ照明モジュールは、上記支持部材に収容されており、受けた電力を上記複数の第１のＬＥＤ光源を発光させるための電力に変換する電力変換部をさらに備える、請求項３に記載のＬＥＤ照明装置。
【請求項５】
上記第１のＬＥＤ照明ユニットは、上記第３の方向において平行に配置された２つの上記第１のＬＥＤ照明モジュールと、上記第１の方向と直角である平面における断面形状が、上記基板のうち上記複数の第１のＬＥＤ光源が搭載された面が向く方向に開口しており、かつ上記２つの第１のＬＥＤ照明モジュールを支持する底部を有するコの字状である支持ブラケットと、を備える、請求項２ないし４のいずれかに記載のＬＥＤ照明装置。
【請求項６】
上記支持ブラケットの上記底部は、上記第３の方向において背面側から前面側に向かうほど上記基板のうち上記複数の第１のＬＥＤ光源が搭載された面が向く方向に位置するように傾けられている、請求項５に記載のＬＥＤ照明装置。
【請求項７】
上記支持ブラケットを収容しているとともに、上記第１の方向と直角である平面における断面形状が、上記基板のうち上記複数の第１のＬＥＤ光源が搭載された面が向く方向に開口しており、かつ上記支持ブラケットの上記底部と間隔をおいた底部を有するコの字状である補助ブラケットをさらに備える、請求項５または６に記載のＬＥＤ照明装置。
【請求項８】
上記支持ブラケットの上記底部と上記補助ブラケットの上記底部との間には、上記第２のＬＥＤ照明ユニットの発光状態を制御する個別コントローラが収納されている、請求項７に記載のＬＥＤ照明装置。
【請求項９】
上記第１のＬＥＤ照明ユニットの上記複数の第１のＬＥＤ光源は、互いの色温度が異なるものを含む、請求項２ないし８のいずれかに記載のＬＥＤ照明装置。
【請求項１０】
上記第１のＬＥＤ照明ユニットの上記複数の第１のＬＥＤ光源は、色温度が３，０００Ｋのものと５，０００Ｋのものとを含む、請求項９に記載のＬＥＤ照明装置。
【請求項１１】
上記第２のＬＥＤ照明ユニットは、各々が上記複数の第２のＬＥＤ光源を備えており、かつ上記第２の方向に配列された、複数の第２のＬＥＤ照明モジュールを備える、請求項１ないし１０のいずれかに記載のＬＥＤ照明装置。
【請求項１２】
上記第２のＬＥＤ照明モジュールに備えられた上記複数の第２のＬＥＤ光源は、互いに異なる波長の光を発するものを含む、請求項１１に記載のＬＥＤ照明装置。
【請求項１３】
上記第２のＬＥＤ照明モジュールに備えられた上記複数の第２のＬＥＤ光源は、赤色光を発するものと、緑色光を発するものと、青色光を発するものと、を含む、請求項１２に記載のＬＥＤ照明装置。
【請求項１４】
上記第２のＬＥＤ照明モジュールは、上記複数の第２のＬＥＤ光源からの光を透過する透光カバーを備える、請求項１１ないし１３のいずれかに記載のＬＥＤ照明装置。
【請求項１５】
上記第２のＬＥＤ照明モジュールは、上記第１の方向について対称配置されており、上記複数の第２のＬＥＤ光源が搭載された２対の搭載面を有する支持ブラケットを備えており、
上記各対の搭載面３５１は、ｘ方向において上記支持ブラケット中央から離間するほど上記第２の方向における互いの距離が小となっており、かつ上記第３の方向において上記複数の第２のＬＥＤ光源が搭載されている側に向かうほど上記第１の方向における互いの距離が小となるように傾いている、請求項１１ないし１３のいずれかに記載のＬＥＤ照明装置。
【請求項１６】
複数階を構成する複数の床面および複数の天井面と、
上記各床面および天井面の間に配置されており、屋内の境界を形成する複数の窓ガラスと、
請求項１ないし１５のいずれかに記載のＬＥＤ照明装置とを備えており、
上記第１の方向が水平方向であり、
上記第２の方向が鉛直方向であり、
上記第３の方向の、上記背面側が屋内側、上記前面側が屋外側であることを特徴とする、ＬＥＤ照明装置付き建造物。
【請求項１７】
上記複数の第１のＬＥＤ照明ユニットは、上記床面に沿って配置されている、請求項１６に記載のＬＥＤ照明装置付き建造物。
【請求項１８】
上記窓ガラスに対して屋外側にあり、それぞれが上記第２の方向に沿って伸びる複数の補助柱を備えており、
上記第２のＬＥＤ照明ユニットは、上記補助柱の上記第３方向屋内側に取り付けられている、請求項１６または１７記載のＬＥＤ照明装置付き建造物。
【請求項１９】
上記複数の第１および第２のＬＥＤ照明ユニットに対して上記第３方向屋外側に設けられており、かつ屋外の境界を形成する複数の追加の窓ガラスをさらに備える、請求項１６ないし１８のいずれかに記載のＬＥＤ照明装置付き建造物。
【請求項２０】
上記反射部材は、上記複数の第１および第２のＬＥＤ照明ユニットに対して上記窓ガラスを挟んで屋内側に設けられたブラインドである、請求項１６ないし１９のいずれかに記載のＬＥＤ照明装置付き建造物。
【請求項２１】
上記反射部材は、電圧印加により透過状態を変更可能な液晶シートを備える上記窓ガラスである、請求項１６ないし１９のいずれかに記載のＬＥＤ照明装置付き建造物。
【発明の詳細な説明】
【技術分野】
【０００１】
本発明は、建造物を照らすためのＬＥＤ照明装置、およびこれを備えた建造物に関する。
【背景技術】
【０００２】
図１３は、従来の建造物を照らすための照明装置を示している（特許文献１）。同図に示された照明装置９２は、たとえばプロジェクターであり、建造物であるビル９１の近傍の地面に設けられている。照明装置９２からは、ビル９１の壁面に向けて、意図した色彩の光が照射される。これにより、ビル９１の壁面は、たとえば夜間において美しい外観を呈する。さらに、特許文献１においては、照明装置９１がマスクを通して光を照射することにより、ビル９１の壁面に設けられた窓を避けて壁面を照らすことが提案されている。このような構成によれば、ビル９１の屋内にいる人々が不当にまぶしく感じることを抑制することができる。
【０００３】
しかしながら、照明装置９２は、ビル９１から離れた場所にあり、さらにビル９１に対して下方に偏った位置に配置されている。このため、ビル９１の壁面全体を均一な照度で照らすことが困難である。また、マスクを用いた手法によっては、ビル９１を部分的に色彩や明度を異ならせて照らすといった要望には十分に応えることができなかった。
【先行技術文献】
【特許文献】
【０００４】
【特許文献１】特開平７−２６２８０７号公報
【発明の概要】
【発明が解決しようとする課題】
【０００５】
本発明は、上記した事情のもとで考え出されたものであって、建造物の周辺に設置スペースを確保することなく、建造物の全体を均一に、かつ所望の色彩や明度で照らすことが可能なＬＥＤ照明装置およびこれを備えた建造物を提供することをその課題とする。
【課題を解決するための手段】
【０００６】
本発明の第１の側面によって提供されるＬＥＤ照明装置は、建造物を照らすＬＥＤ照明装置であって、ＬＥＤチップを備える複数の第１のＬＥＤ光源を各々が有しており、かつ長手方向が第１の方向に沿う細長状の複数の第１のＬＥＤ照明ユニットと、ＬＥＤチップを備える複数の第２のＬＥＤ光源を各々が有しており、かつ長手方向が上記第１の方向に対して交差する第２の方向に沿う細長状の複数の第２ＬＥＤ照明ユニットと、上記第１および第２の方向のいずれに対しても直角である第３の方向において、上記複数の第１および第２のＬＥＤ照明ユニットに対して、背面側に配置されており、かつ上記第１および第２のＬＥＤ照明ユニットからの光を上記第３の方向における前面側に反射しうる反射部材と、を備えることを特徴としている。
【０００７】
本発明の好ましい実施の形態においては、上記第１のＬＥＤ照明ユニットは、上記第１の方向に並べられた上記複数の第１のＬＥＤ光源が搭載されており、かつ上記第１の方向を長手方向とする長矩形状の基板と、上記基板を支持し、かつ上記第１の方向を長手方向する細長状の支持部材と、上記複数の第１のＬＥＤ光源からの光を透過し、かつ上記第１の方向を長手方向する細長状の透光カバーとを備える１以上の第１のＬＥＤ照明モジュールを有する。
【０００８】
本発明の好ましい実施の形態においては、上記支持部材は、上記第１の方向に直角である平面における断面形状が、上記基板が取り付けられた底部、およびこの底部両端から上記基板とは反対側に延びる１対の平行部を有するコの字状である。
【０００９】
本発明の好ましい実施の形態においては、上記第１のＬＥＤ照明モジュールは、上記支持部材に収容されており、受けた電力を上記複数の第１のＬＥＤ光源を発光させるための電力に変換する電力変換部をさらに備える。
【００１０】
本発明の好ましい実施の形態においては、上記第１のＬＥＤ照明ユニットは、上記第２の方向において平行に配置された２つの上記第１のＬＥＤ照明モジュールと、上記第１の方向と直角である平面における断面形状が、上記基板のうち上記複数のＬＥＤ光源が搭載された面が向く方向に開口しており、かつ上記２つの第１のＬＥＤ照明モジュールを支持する底部を有するコの字状である支持ブラケットと、を備える。
【００１１】
本発明の好ましい実施の形態においては、上記支持ブラケットの上記底部は、上記第３の方向において背面側から前面側に向かうほど上記基板のうち上記複数の第１のＬＥＤ光源が搭載された面が向く方向に位置するように傾けられている。
【００１２】
本発明の好ましい実施の形態においては、上記支持ブラケットを収容しているとともに、上記第１の方向と直角である平面における断面形状が、上記基板のうち上記複数の第１のＬＥＤ光源が搭載された面が向く方向に開口しており、かつ上記支持ブラケットの上記底部と間隔をおいた底部を有するコの字状である補助ブラケットをさらに備える。
【００１３】
本発明の好ましい実施の形態においては、上記支持ブラケットの上記底部と上記補助ブラケットの上記底部との間には、上記第２のＬＥＤ照明ユニットの発光状態を制御する個別コントローラが収納されている。
【００１４】
本発明の好ましい実施の形態においては、上記第１のＬＥＤ照明ユニットの上記複数の第１のＬＥＤ光源は、互いの色温度が異なるものを含む。
【００１５】
本発明の好ましい実施の形態においては、上記第１のＬＥＤ照明ユニットの上記複数の第１のＬＥＤ光源は、色温度が３，０００Ｋのものと５，０００Ｋのものとを含む。
【００１６】
本発明の好ましい実施の形態においては、上記第２のＬＥＤ照明ユニットは、各々が上記複数の第２のＬＥＤ光源を備えており、かつ上記第２の方向に配列された、複数の第２のＬＥＤ照明モジュールを備える。
【００１７】
本発明の好ましい実施の形態においては、上記第２のＬＥＤ照明モジュールに備えられた上記複数の第２のＬＥＤ光源は、互いに異なる波長の光を発するものを含む。
【００１８】
本発明の好ましい実施の形態においては、上記第２のＬＥＤ照明モジュールに備えられた上記複数の第２のＬＥＤ光源は、赤色光を発するものと、緑色光を発するものと、青色光を発するものと、を含む。
【００１９】
本発明の好ましい実施の形態においては、上記第２のＬＥＤ照明モジュールは、上記複数の第２のＬＥＤ光源からの光を透過する透光カバーを備える。
【００２０】
本発明の好ましい実施の形態においては、上記第２のＬＥＤ照明モジュールは、上記第１の方向について対称配置されており、上記複数の第２のＬＥＤ光源が搭載された２対の搭載面を有する支持ブラケットを備えており、上記各対の搭載面３５１は、ｘ方向において上記支持ブラケット中央から離間するほど上記第２の方向における互いの距離が小となっており、かつ上記第３の方向において上記複数の第２のＬＥＤ光源が搭載されている側に向かうほど上記第１の方向における互いの距離が小となるように傾いている。
【００２１】
本発明の第２の側面によって提供されるＬＥＤ照明装置付き建造物は、複数階を構成する複数の床面および複数の天井面と、上記各床面および天井面の間に配置されており、屋内の境界を形成する複数の窓ガラスと、本発明の第１の側面によって提供されるＬＥＤ照明装置とを備えており、上記第１の方向が水平方向であり、上記第２の方向が鉛直方向であり、上記第３の方向の、上記背面側が屋内側、上記前面側が屋外側であることを特徴としている。
【００２２】
本発明の好ましい実施の形態においては、上記複数の第１のＬＥＤ照明ユニットは、上記床面に沿って配置されている。
【００２３】
本発明の好ましい実施の形態においては、上記窓ガラスに対して屋外側にあり、それぞれが上記第２の方向に沿って伸びる複数の補助柱を備えており、上記第２のＬＥＤ照明ユニットは、上記補助柱の上記第３方向屋内側に取り付けられている。
【００２４】
本発明の好ましい実施の形態においては、上記複数の第１および第２のＬＥＤ照明ユニットに対して上記第３方向屋外側に設けられており、かつ屋外の境界を形成する複数の追加の窓ガラスをさらに備える。
【００２５】
本発明の好ましい実施の形態においては、上記反射部材は、上記複数の第１および第２のＬＥＤ照明ユニットに対して上記窓ガラスを挟んで屋内側に設けられたブラインドである。
【００２６】
本発明の好ましい実施の形態においては、上記反射部材は、電圧印加により透過状態を変更可能な液晶シートを備える上記窓ガラスである。
【００２７】
このような構成によれば、上記ＬＥＤ照明装置は、上記建造物の壁面に沿って設けることが可能であるため、上記建造物の周辺に照明手段を配置するためのスペースを確保する必要がない。また、上記ＬＥＤ照明装置を構成する上記複数の第１および第２のＬＥＤ照明ユニットは、上記建造物の壁面の全面に均等に配置することが可能である。したがって、上記建造物の壁面を均一に照らすことができる。
【００２８】
本発明のその他の特徴および利点は、添付図面を参照して以下に行う詳細な説明によって、より明らかとなろう。
【図面の簡単な説明】
【００２９】
【図１】本発明に係るＬＥＤ照明装置付き建造物の一例を示す斜視図である。
【図２】本発明に係るＬＥＤ照明装置の一例を示すシステム構成図である。
【図３】本発明に係るＬＥＤ照明装置付き建造物およびＬＥＤ照明装置の一例を示す要部斜視図である。
【図４】図３のＬＥＤ照明装置に備えられたＬＥＤ照明ユニットを示す要部斜視図である。
【図５】図４のＶ−Ｖ線に沿う断面図である。
【図６】図５のＬＥＤ照明ユニットのＬＥＤ光源を示す断面図である。
【図７】図３のＬＥＤ照明装置に備えられたＬＥＤ照明ユニットを示す要部正面図である。
【図８】図７のＶＩＩＩ−ＶＩＩＩ線に沿う断面図である。
【図９】図７のＩＸ−ＩＸ線に沿う断面図である。
【図１０】本発明に係るＬＥＤ照明装置付き建造物の他の例を示す要部斜視図である。
【図１１】本発明に係るＬＥＤ照明装置に用いられる第２のＬＥＤ照明ユニットの変形例を示す正面図である。
【図１２】図１１のＸＩＩ−ＸＩＩ線に沿う要部断面図である。
【図１３】従来の照明装置を示す斜視図である。
【発明を実施するための形態】
【００３０】
以下、本発明の好ましい実施の形態につき、図面を参照して具体的に説明する。
【００３１】
図１は、本発明に係るＬＥＤ照明装置付き建造物の一例を示している。同図に示されたビル１２は、たとえば人や車が往来する道路に面した壁面１２８にＬＥＤ照明装置１１が設けられている。ＬＥＤ照明装置１１は、上記道路を往来する人や車の乗員に心地よい美感を与えうるように、ビル１２を照らす。
【００３２】
図２は、ＬＥＤ照明装置１１のシステム構成図であり、図３は、ビル１２およびＬＥＤ照明装置１１の一部を拡大して示している。なお、図１および図３においては、ｘ方向が水平方向に該当し、ｚ方向が天地方向に該当する。ｙ方向において、紙面左手前側が屋外側であり、紙面右手奥側が屋内側である。
【００３３】
ビル１２は、複数階を有する中高層の建造物であり、本発明で言うＬＥＤ照明装置付き建造物の一例に相当する。図３に示すように、ビル１２の各階には、床面１２１および天井面１２２が形成されており、これらに挟まれた空間がいわゆる屋内空間となっている。床面１２１および天井面１２２の屋外側端には、窓ガラス１２３が設けられている。窓ガラス１２３は、屋内の境界を形成している。窓ガラス１２３の屋内側には、ブラインド１２６が設けられている。ブラインド１２６は、電動で自動的に開閉可能とされている。窓ガラス１２３の屋外側には、窓ガラス１２４が設けられている。窓ガラス１２４は、本発明で言う追加の窓ガラスに相当し、屋外の境界を形成している。
【００３４】
窓ガラス１２３と窓ガラス１２４とに挟まれた空間は、屋内空間と屋外空間との間に位置する、いわば中間空間とされている。この中間空間には、通気ダクト１２７が設けられている。通気ダクト１２７は、上記中間空間の各階部分どうしの通気を促進するためのものであり、本実施形態においては、床面１２１に沿って配置されている。また、上記中間空間には、複数の補助柱１２５が設けられている。補助柱１２５は、ｚ方向を長手方向とする細長状の柱であり、ｘ方向にほぼ等間隔をおいて配置されている。
【００３５】
ＬＥＤ照明装置１１は、複数のＬＥＤ照明ユニット２、複数のＬＥＤ照明ユニット３、および集中制御ユニット４を備えている。また、ＬＥＤ照明装置１１は、本発明で言う反射部材として、ビル１２の屋内に備えられたブラインド１２６を用いている。
【００３６】
ＬＥＤ照明ユニット２は、本発明で言う第１のＬＥＤ照明ユニットである。図３に示すように、ＬＥＤ照明ユニット２は、２つのＬＥＤ照明モジュール２０、支持ブラケット２６、および補助ブラケット２７を備えており、全体がｘ方向を長手方向とする細長状とされている。本実施形態においては、ＬＥＤ照明ユニット２は、ビル１２の各階の床面１２１に沿って配置されている。
【００３７】
図４および図５に示すように、ＬＥＤ照明モジュール２０は、ｘ方向を長手方向とする細長状であり、複数のＬＥＤ光源２１、基板２２、支持部材２３、透光カバー２４、および電力変換部２５を備えている。ＬＥＤ照明モジュール２０は、本発明で言う第１のＬＥＤ照明モジュールである。図６に示すように、複数のＬＥＤ光源２１は、ＬＥＤチップ２１１、リード２１２，２１３、ケース２１４、および封止樹脂２１５を備えており、本発明で言う第１のＬＥＤ光源である。ＬＥＤチップ２１１は、たとえばＧａＮ系半導体からなるｎ型半導体層、ｐ型半導体層、これらのｎ型半導体層およびｐ型半導体層に挟まれた活性層を有しており、青色光を発する。リード２１２，２１３は、たとえばＣｕ合金またはＮｉ合金からなり、リード２１２には、ＬＥＤチップ２１１が搭載されている。リード２１３は、ワイヤを介してＬＥＤチップ２１１と導通している。ケース２１４は、ＬＥＤチップ２１１を囲む枠状であり、たとえば白色樹脂からなる。封止樹脂２１５は、ＬＥＤチップ２１１を覆っており、透明なエポキシ樹脂に蛍光材料が混入された材料からなる。この蛍光材料は、ＬＥＤチップ２１からの青色光によって励起されることにより黄色光を発する。青色光と黄色光とが混色することにより、ＬＥＤ光源２１は、白色光を発する。本実施形態においては、ＬＥＤ光源２１として、色温度が３，０００Ｋの白色光を発するものと、色温度が５，０００Ｋの白色光を発するものとが用いられている。
【００３８】
図４および図５に示すように、基板２２は、ｘ方向を長手方向とする長矩形状であり、複数のＬＥＤ光源２１がｘ方向に直列に並べられた状態で搭載されている。基板２２は、たとえばガラスエポキシ樹脂からなる。支持部材２３は、基板２２を支持しており、ｘ方向を長手方向とする細長状である。図５に示すように、支持部材２３のｙｚ平面における断面形状は、底部２３１と１対の平行部２３２とを有する略コの字状とされている。底部２３１のｚ方向上面には、基板２２が接合されている。１対の平行部２３２は、底部２３１のｙ方向端からｚ方向下方に延びている。図４および図５に示すように、透光カバー２４は、ｘ方向を長手方向とする細長状であり、たとえば半透明の乳白色樹脂からなる。透光カバー２４は、支持部材２３に取り付けられており、複数のＬＥＤ光源２１を覆っている。透光カバー２４は、複数のＬＥＤ光源２１からの光を拡散させつつ透過させる。電力変換部２５は、支持部材２３に収容されており、後述する電源４６からの電力をＬＥＤチップ２１１を点灯させるのに適した電圧あるいは電流に変換するためのものである。
【００３９】
支持ブラケット２６は、たとえばＳＵＳ製プレートからなり、ｘ方向を長手方向とする細長状である。支持ブラケット２６のｙｚ平面における断面形状は、底部２６１および１対の平行部２６２を有する略コの字状とされている。図５によく表れているように、底部２６１は、ｙ方向における図中右方（図３における屋内側）に向かうほどｚ方向下方に位置するように傾斜している。この底部２６１に２つのＬＥＤ照明モジュール２０が搭載されている。このため、２つのＬＥＤ照明モジュール２０も底部２６１と同様に傾いている。補助ブラケット２７は、たとえばＳＵＳ製プレートからなり、ｘ方向を長手方向とする細長状である。補助ブラケット２７のｙｚ平面における断面形状は、底部２７１および１対の平行部２７２を有する略コの字状とされている。補助ブラケット２７は、１対の平行部２７２によって挟むようにして、支持ブラケット２６を収容している。底部２６１と底部２７１との間の空間には、個別コントローラ４２が収容されている。
【００４０】
ＬＥＤ照明ユニット３は、本発明で言う第２のＬＥＤ照明ユニットである。図３に示すように、ＬＥＤ照明ユニット３は、ｚ方向を長手方向とする細長状であり、補助柱１２５に沿って、補助柱１２５の屋内側面に設置されている。
【００４１】
図７および図８に示すように、ＬＥＤ照明ユニット３は、複数のＬＥＤ照明モジュール３０、および本体３４を備えている。ＬＥＤ照明モジュール３０は、本発明で言う第２のＬＥＤ照明モジュールであり、３つのＬＥＤ光源３１、透光カバー３２、および基板３３を備えている。ＬＥＤ光源３１は、本発明で言う第２のＬＥＤ光源であり、図９に示すように、ＬＥＤチップ３１１、リード３１２，３１３、ケース３１４、および封止樹脂３１５を備えている。ＬＥＤチップ３１１は、ｎ型半導体層、ｐ型半導体層、これらのｎ型半導体層およびｐ型半導体層に挟まれた活性層を有しており、本実施形態においては、赤色光を発するもの、緑色光を発するもの、青色光を発するものが用いられている。リード３１２，３１３は、たとえばＣｕ合金またはＮｉ合金からなり、リード３１２には、ＬＥＤチップ３１１が搭載されている。リード３１３は、ワイヤを介してＬＥＤチップ３１１と導通している。ケース３１４は、ＬＥＤチップ３１１を囲む枠状であり、たとえば白色樹脂からなる。封止樹脂３１５は、ＬＥＤチップ３１１を覆っており、たとえば透明なエポキシ樹脂からなる。
【００４２】
図７および図８に示すように、基板３３には、３つのＬＥＤ光源３１が搭載されている。これらの３つのＬＥＤ光源３１は、赤色光を発するものと、緑色光を発するものと、青色光を発するものとによって構成されている。基板３３は、たとえば円形であり、ガラスエポキシ樹脂からなる。透光カバー３２は、３つのＬＥＤ光源３１を覆っており、ドーム状である。透光カバー３２は、３つのＬＥＤ光源３１からの光を透過する透明樹脂からなる。
【００４３】
本体３４は、ｚ方向を長手方向とする細長状であり、たとえばＳＵＳ製プレートからなる。本体３４は、ｚ方向に直列に並ぶように、複数のＬＥＤ照明モジュール３０を保持している。図８に示すように、本体３４と補助柱１２５とが結合されることにより、ＬＥＤ照明ユニット３は、補助柱１２５に取り付けられている。
【００４４】
図３に示すように、ＬＥＤ照明ユニット２およびＬＥＤ照明ユニット３は、窓ガラス１２３を挟んで、ブラインド１２６と対面する格好となる。ブラインド１２６を閉じた状態で、ＬＥＤ照明ユニット２が発光すると、ブラインド１２６のうち床面１２１に近い部分が照らされる。また、ＬＥＤ照明ユニット３が発光すると、ブラインド１２６のうち補助柱１２５に近い部分が照らされる。ブラインド１２６は、たとえば白色などの比較的反射率が高い色とされている。このため、ブラインド１２６を照らす光は、ブラインド１２６によって反射される。そして、窓ガラス１２３，１２４を透して屋外へと照射される。
【００４５】
図２に示すように、複数のＬＥＤ照明ユニット２および複数のＬＥＤ照明ユニット３は、集中制御ユニット４によって制御される。集中制御ユニット４は、たとえばビル１２の制御室（図示略）に配置されており、ＣＰＵ、メモリ、インターフェースなどを備える。集中制御ユニット４には、駆動用の電源４５から電力供給される。集中制御ユニット４と複数のＬＥＤ照明ユニット２とは、信号線によって直接接続されている。一方、集中制御ユニット４と複数のＬＥＤ照明ユニット３とは、中継ブースター４１および個別コントローラ４２を介して信号線によって接続されている。集中制御ユニット４とＬＥＤ照明ユニット３との通信には、通信プロトコルとしてＤＭＸ５１２が採用されている。中継ブースター４１は、集中制御ユニット４から送られたＤＭＸ５１２に準拠した信号を増幅させ、かつ中継する。個別コントローラ４２は、中継ブースター４１から受けた信号に基づいて、ＬＥＤ照明ユニット３を調光制御する。本実施形態においては、１つのＬＥＤ照明ユニット３に１つの個別コントローラ４２が配置されている。複数のＬＥＤ照明ユニット２および複数のＬＥＤ照明ユニット３が発光するための電力は、電源４６から供給される。
【００４６】
集中制御ユニット４からの指令により、ＬＥＤ照明ユニット２は、色温度が３，０００ＫのＬＥＤ光源２１と色温度が５，０００ＫのＬＥＤ光源２１とのそれぞれについて、０〜１００％の輝度で発光するようにいわゆるＰＷＭ制御される。また、ＬＥＤ照明ユニット３は、赤色光、緑色光、青色光を各別に発する３つのＬＥＤ光源３１それぞれについて、０〜１００％の輝度で発光するようにＰＷＭ制御される。これにより、ＬＥＤ照明ユニット２は、色温度が３，０００〜５，０００Ｋの白色光を所望の輝度で発する。また、ＬＥＤ照明ユニット３は、赤色光、緑色光、青色光を混色させることによって発色可能な色の光を所望の輝度で発する。
【００４７】
次に、ＬＥＤ照明装置１１の発光制御形態の一例について、以下に説明する。
【００４８】
集中制御ユニット４には、日付および時間についてのＬＥＤ照明ユニット２，３の調光設定データが格納されている。この調光設定データは、ＬＥＤ照明ユニット２については、色温度と輝度、ＬＥＤ照明ユニット３については、色相と輝度とからなる。より具体的には、ＬＥＤ照明ユニット２の場合、色温度３，０００ＫのＬＥＤ光源２１の輝度（０〜１００％）と色温度５，０００ＫのＬＥＤ光源２１の輝度（０〜１００％）に分解され、ＬＥＤ照明ユニット３の場合、赤色光、緑色光、青色光を発するＬＥＤ光源３１ごとの輝度（０〜１００％）に分解される。たとえば、日付については、消灯日と点灯日とが設定されている。そして、点灯日については、時間ごとにＬＥＤ照明ユニット２，３の発光状態が設定されている。
【００４９】
一例としては、通常の点灯日において、屋外が明るい昼間は、ＬＥＤ照明ユニット２，３ともに輝度が０％に設定される。そして、屋外が暗くなり始める日暮れに相当する時間になると、ＬＥＤ照明ユニット２の輝度がたとえば数十％に上げられる。また、別系統の制御によって、日暮れに相当する時間になると、ブラインド１２６が自動的に閉状態とされる。そして、屋外が十分に暗くなる時間帯（たとえば２０時）になると輝度が１００％に設定される。こののちは、深夜にあたる２２時から２４時頃に輝度が０％に戻される。この通常の点灯日においては、ビル１２の壁面１２８は、その全体がやわらかな白色を呈するように照らされる。
【００５０】
次に、特定日と称される点灯日においては、日暮れに相当する時間になるとＬＥＤ照明ユニット２，３ともに、輝度が高められる。これにより、ビル１２の壁面１２８には、ＬＥＤ照明ユニット２による白色を背景として、ＬＥＤ照明ユニット３による色相豊かな色が浮かびあがる。各ＬＥＤ照明ユニット３は、個別コントローラ４２によって個別に調光制御される。このため、壁面１２８を色相あるいは輝度についてのグラデーションに染めることや、模様を連想させる色とすることも可能である。
【００５１】
次に、ＬＥＤ照明装置１１およびビル１２の作用について説明する。
【００５２】
本実施形態によれば、ＬＥＤ照明装置１１は、ビル１２の壁面１２８に沿って設けられるため、ビル１２の周辺に照明手段を配置するためのスペースを確保する必要がない。また、ＬＥＤ照明装置１１を構成する複数のＬＥＤ照明ユニット２，３は、壁面１２８の全面に均等に配置することが可能である。したがって、ビル１２の壁面１２８を均一に照らすことができる。
【００５３】
ｘ方向に沿って配列された複数のＬＥＤ照明ユニット２とｚ方向に沿って配列された複数のＬＥＤ照明ユニット３とを備えることにより、壁面１２８がより均一に照らされているように見せることができる。また、ＬＥＤ照明ユニット２，３の発光状態を異ならせることにより、壁面１２８を均一に照らすだけでなく、壁面１２８の外観に意図した抑揚を与えることができる。
【００５４】
ＬＥＤ照明ユニット２は、ｘ方向に延びる細長状であり、床面１２１に沿って配置するのに適している。２つのＬＥＤ照明モジュール２０を屋内側に傾けて配置することにより、屋内側、特にブラインド１２６に向かう光量を増加させることができる。互いに異なる色温度の光を発するＬＥＤ光源２１を備えることにより、ＬＥＤ照明ユニット２が発する白色光の微妙な色合いを調節することができる。拡散機能を果たす透光カバー２４を備えることにより、色温度が３，０００Ｋの光と色温度が５，０００Ｋの光の混色を促進することができる。
【００５５】
ＬＥＤ照明ユニット３は、ｚ方向に延びる細長状であり、補助柱１２５に沿って配置するのに適している。ＬＥＤ照明ユニット２とは異なる姿勢で異なる位置に向けて光を照射することにより、ＬＥＤ照明ユニット２の光とＬＥＤ照明ユニット３の光とをそれぞれ際立たせることができる。赤色光、緑色光、青色光を発するＬＥＤ光源３１を備えることにより、さまざまな色彩の光を発することが可能であり、壁面１２８の外観に抑揚を与えるのに好適である。
【００５６】
日付や時間によって調光設定データを構成することにより、周辺地域事情からビル１２全体が明るく点灯することが好ましくない日には、あえて消灯させ、たとえば地域の祝い事に該当する日には、鮮やかに点灯させるといった点灯制御が可能である。
【００５７】
閉状態のブラインド１２６に反射させることによって壁面１２８を照らす構成とすることにより、ＬＥＤ照明装置１１からの光が屋内に不当に進入してしまうことを抑制することができる。ブラインド１２６は一般的なオフィスであれば備えられているものであり、ＬＥＤ照明装置１１を適用するためにあらたな反射手段を設ける必要がない。
【００５８】
図１０は、本発明の他の実施形態を示している。なお、本図において、上記実施形態と同一または類似の要素には、上記実施形態と同一の符号を付している。
【００５９】
本実施形態においては、窓ガラス１２３の構成が、上述した実施形態と異なっている。本実施形態の窓ガラス１２３は、２枚のガラス板と、これらのガラス板に挟まれた液晶シートとを備えている。上記液晶シートは、電圧が印加されることにより白濁する。ＬＥＤ照明装置１１を点灯させるときには、上記液晶シートに電圧を印加し、白濁させる。これにより、ＬＥＤ照明装置１１からの光は、白濁した窓ガラス１２３によって反射される。このような実施形態によっても、ビル１２の壁面１２８を適切に照らすことができる。本実施形態の場合、ＬＥＤ照明装置１１からの光を反射させる手段としては、ブラインド１２６を設ける必要はない。
【００６０】
図１１および図１２は、ＬＥＤ照明ユニット３の変形例を示している。本変形例においては、ＬＥＤ照明ユニット３に備えられた複数のＬＥＤ照明モジュール３０の構成が、上述した実施形態と異なっている。本変形例のＬＥＤ照明モジュール３０は、支持ブラケット３５を有している。支持ブラケット３５は、ｙ方向視において略菱形状であり、２対の搭載面３５１を有している。各対の搭載面３５１は、ｚ方向に並べられており、ｘ方向において支持ブラケット３５の中央から外方に向かうほど互いの距離が小となっている。また、図１２に示すように、各対の搭載面３５１は、ｙ方向において背面側に向かうほどｘ方向における互いの距離が小となるように傾いている。各搭載面３５１は、長矩形状とされている。
【００６１】
各搭載面３５１には、複数のＬＥＤ光源３１が取り付けられている。複数のＬＥＤ光源３１は、各搭載面３５１の長手方向に沿って配列されている。
【００６２】
このような変形例によれば、搭載面３５１が上述した傾斜面であることにより、ｘ方向およびｙ方向の双方において、窓ガラス１２３およびブラインド１２６のより広い領域をＬＥＤ照明ユニット３からの光によって照らすことができる。また、各対の搭載面３５１がｘ方向において先細り状のテーパ配置とされていることにより、ＬＥＤ照明ユニット３からｘ方向に離れた位置を比較的高い照度で照らすことが可能である。したがって、ビル１１をより均一に光っているような外観とすることができる。
【００６３】
本発明に係るＬＥＤ照明装置およびＬＥＤ照明装置付き建造物は、上述した実施形態に限定されるものではない。本発明に係るＬＥＤ照明装置およびＬＥＤ照明装置付き建造物の各部の具体的な構成は、種々に設計変更自在である。
【符号の説明】
【００６４】
１１      ＬＥＤ照明装置
１２      ビル（建造物）
１２１    床面
１２２    天井面
１２３    窓ガラス
１２４      （追加の）窓ガラス
１２５      補助柱
１２６      ブラインド（反射部材）
１２７通気ダクト
１２８    壁面
２      （第１の）ＬＥＤ照明ユニット
２０    （第１の）ＬＥＤ照明モジュール
２１    （第１の）ＬＥＤ光源
２１１  ＬＥＤチップ
２２    基板
２３    支持部材
２３１  底部
２３２  平行部
２４    透光カバー
２５    電力変換部
２６    支持ブラケット
２６１  底部
２６２  平行部
２７    補助ブラケット
２７１  底部
２７２  平行部
２８    透光板
３      （第２の）ＬＥＤ照明ユニット
３０    （第２の）ＬＥＤ照明モジュール
３１    （第２の）ＬＥＤ光源
３１１  ＬＥＤチップ
３２  透光カバー
３３  基板
３４    本体
３５    支持ブラケット
３５１  搭載面
４      集中制御ユニット
４１    中継ブースター
４２    個別コントローラ
４５    電源
４６    電源
ｘ    第１の方向
ｚ    第２の方向
ｙ    第３の方向
【図１】
2012150973.tif 000003
【図２】
2012150973.tif 000004
【図３】
2012150973.tif 000005
【図４】
2012150973.tif 000006
【図５】
2012150973.tif 000007
【図６】
2012150973.tif 000008
【図７】
2012150973.tif 000009
【図８】
2012150973.tif 000010
【図９】
2012150973.tif 000011
【図１０】
2012150973.tif 000012
【図１１】
2012150973.tif 000013
【図１２】
2012150973.tif 000014
【図１３】
2012150973.tif 000015